(57)【要約】【課題】  部位内に留置体を苦痛なく、危険を伴うことなく、容易にかつ常に正確な位置に、確実に長期間持続して留置させることができる。【解決手段】  留置体の部位内深さ位置決め装置は、留置装置を収容する収容具本体と、収納具本体に取り付けられて、支持細線が人体の皮膚表面から部位中に刺入りする深さを調整する調整手段とを備える。【選択図】  図１
2013017622.tif 000002
【特許請求の範囲】
【請求項１】
支持細線を収容する収容具本体と、収納具本体に取り付けられて、該支持細線が人体の皮膚表面から部位中に刺入りする深さを調整する調整手段とを備え、該支持細線から分離され、押出され、又は押圧されて部位内に入る留置体の部位内深さ位置決め装置。
【請求項２】
前記留置装置は、前記支持細線と、該支持細線の先端に取り付けられた留置体を備えることを特徴とする請求項１記載の留置体の部位内深さ位置決め装置。
【請求項３】
前記留置装置は、前記支持細線と、該支持細線の先端に配設された留置体を備えることを特徴とする請求項１記載の留置体の部位内深さ位置決め装置。
【請求項４】
前記留置体は、径；０．１〜０．３ｍｍの支持細線内に配設されていることを特徴とする請求項１記載の留置体の部位内深さ位置決め装置。
【発明の詳細な説明】
【技術分野】
【０００１】
人体部位に留置体を留置させるために使用される留置装置を移動可能にして部位の所定の深さに位置決めするための留置体の部位内深さ位置決め装置。
【背景技術】
【０００２】
従来の人体部位内に鍼を留置する留置鍼において、留置鍼を部位の所定の位置及び深さに刺入れするには、施術師にとって熟練が必要とされていた。また、所定の位置及び深さに鍼が刺入れされない場合や、鍼が刺入れた所定の位置から流動したりすると被施術者に留置していることの違和感、さらに痛みをもたらし、さらには危険をもたらすことになり、また、鍼を時間にわたり維持しておくことが困難であった。
【発明の概要】
【発明が解決しようとする課題】
【０００３】
本発明は、このような従来の欠点を鑑みてなされたもので、本発明の目的は、部位内に留置装置を苦痛なく、危険を伴うことなく、容易にかつ常に正確な位置に刺入れでき、確実に長期間持続して留置させることができる留置体の部位内深さ位置決め装置を提供することにある。
【課題を解決するための手段】
【０００４】
支持細線を収容する収容具本体と、収納具本体に取り付けられて、支持細線が人体の皮膚表面から部位中に刺入りする深さを調整する調整手段とを備え、支持細線から分離され、押出され、又は押圧された留置体の部位内深さ位置決め装置。
【０００５】
前記留置装置は、支持細線と、支持細線の先端に取り付けられた留置体を備えることを特徴とする留置体の部位内深さ位置決め装置である。
【０００６】
前記留置装置は、支持細線と、支持細線の先端に配設された留置体を備えることを特徴とする留置体の部位内深さ位置決め装置である。
【０００７】
前記留置体は、前記留置体は、径；０．１〜０．３ｍｍの支持細線内に配設されていることを特徴とする請求項１記載の留置体の部位内深さ位置決め装置。
【発明の効果】
【０００８】
被施術者に苦痛なく、容易にかつ正確に刺入れでき、危険を伴うことなく、また人体部位内を流動することなく、抜き出ることなく確実に長期間持続して留置装置を留置することができる。
【図面の簡単な説明】
【０００９】
【図１】留置体の部位内深さ位置決め装置を示す概略図である。
【図２】他の留置体の部位内深さ位置決め装置を示す概略図である。
【図３】さらに他の留置体の部位内深さ位置決め装置を示す概略図である。
【図４】支持細線の刺入れ深さを調節するための説明図である。
【図５】留置体と支持細線の対向する面とが嵌合手段である湾曲面を形成して嵌合している状態を示す概略図である。
【図６】留置体と支持細線の対向する面とが嵌合手段である凹凸部を形成して嵌合している状態を示す概略図である。
【図７】留置体と支持細線の対向する面とが嵌合手段である凹所を形成して嵌合している状態を示す概略図である。
【図８】留置体と前記支持細線の対向する面を接合面とし、接合面に接着剤が塗布されている状態を示す概略図である。
【発明を実施するための形態】
【００１０】
本発明に係る留置体の部位内深さ位置決め装置は、支持細線を所定距離移動させて留置体を部位内の所定の深さ位置決めして留置させる。ここで、支持細線１２は、その先端に取り付けられた留置体１４を備え、支持細線１２と留置体１４とを分離して留置体１４を部位内の所定の深さ位置に留置させる（図１）。また、支持細線１２は、その支持細線の先端側に留置体１４を配設した構造を備え、留置体を押出部材１６で支持細線から押出し、押し出された留置体１４を部位内の所定の深さ位置に留置させてもよい（図２）。また支持細線１２は、その支持細線の先端側に留置体１４を配設した構造を備え、留置体１４をピストン２０による押圧装置１８で支持細線から押圧して、押圧して出された留置体１４を部位内の所定の深さ位置に留置させてもよい（図３）。留置体は、径；０．１〜０．３ｍｍの支持細線内に配設されている。かくして、留置体は、支持細線から分離され、押出され、又は押圧されて部位内の位置に留置される。部位は、経絡のツボ、甲状腺等である。
【００１１】
支持細線を移動可能に収容して留置体の部位内深さの位置を決める留置体の部位内深さ位置決め装置は、支持細線を収納する樹脂製もしくはステンレス鋼製の収納具本体と、収納具本体に取り付けられて、支持細線が人体の皮膚表面から部位中に刺入りする深さを調整する調整手段とを備える。
【００１２】
調整手段２４は、収容具本体２２に摺動可能な摺動装置を備える。摺動装置は、収容具本体の外周をすべり摩擦をもって摺動する滑り軸受け、収容具に形成されたねじ切に螺合するナット部材であってもよい。調整手段を調節して支持細線の刺入りする深さを予め調節しておくことにより、常に一定の深さに支持細線を部位内に刺入れ可能となり、よって留置体を部位内の所定の深さ位置に常に正確に留置することが可能となる。また、所定の角度をもって収納具本体を形成しておくことによりに、支持細線は、常に同じ角度をもって刺入りすることができる。
【００１３】
図４は、支持細線の刺入れ深さを調節するための説明図である。該図に示すように、支持細線の刺入れ深さは、以下の式で決められる。先端に留置体を備える支持細線の長さ；ａ、収納具本体の長さ；ｂ、皮膚表面から摺動装置の移動距離；ｃとする。支持細線の刺入れ深さ；ｄは、ｄ＝ａ―（ｂ＋ｃ）で表される。
【００１４】
かくして、支持細線の刺入れ深さ；ｄは、支持細線の上端を指で叩いて、支持細線を収納具本体の上端の位置にもたらすことにより、支持細線は、皮膚内の深さ；ｄまで刺入れることができる。すなわち、支持細線の皮膚内への刺し入れ深さは、調整手段の皮膚表面から摺動装置の移動距離を調節することにより規定される。
【００１５】
支持細線の先端に取り付けられた留置体である場合、 留置体と支持細線とは、熱膨張係数の異なる異種の金属材料から作られおり、熱膨張係数の差を利用することにより留置体と支持細線とは分離可能となる。前記熱膨張係数の異なる異種の金属材料は、ダイヤモンド、タングステン、白金、鉄、ステンレス鋼、金、銀、銅、アルミニウムのいずれか２つの組み合わせから選ばれる。
【００１６】
熱膨張係数の差を利用して、留置体と支持細線とを分離して外すには、留置体と支持細線とが嵌合していることが好ましい。そして、留置体と支持細線との嵌合面は、湾曲や凹凸部、凹所を形成していることが好ましい。留置体と支持細線に熱が伝達しない状態では、両者は外れることなく一体となって形成されており、支持細線を通して留置体に熱が伝わると、留置体と支持細線との熱膨張係数の差により嵌合面に隙間が生じて両者が外れることが可能となる。かくして、留置装置の留置体を所定の位置に留置した後、留置体と支持細線との熱膨張係数の差により両者を分離して、支持細線は収納具本体から分離して取り出される。
【００１７】
また、留置体と支持細線とを接合面に接着剤を塗布してもよい。接合面は、平坦でもよく、また湾曲や凹凸部、凹所であってもよい。接着剤としては、種々の材料が使用可能であるが、人体に無害である材料が好ましい。例えば、にかわ、エポキシ樹脂系等である。また、留置体と支持細線とは、螺合して結合させてもよい。支持細線は、留置体に熱を伝達した後、細線自身が、熱により消失する材料、例えば、にかわ体から作られてもよい。
【実施例】
【００１８】
本発明の一実施例を添付図面を参照して説明する。甲状腺に支持細線を刺入して、留置体を留置する場合について説明する。
【００１９】
図４は、留置体の部位内深さ位置決め装置１０を示す概略図である。図４において、支持細線１２は、その先端に取り付けられた留置体１４を備える。支持細線１２は、ステンレス鋼で作られており、長さ；１５ｍｍ〜９０ｍｍ、直径；０．１〜０．３ｍｍである。留置体１２は、金材料で作られており、三角錐形状を有し、長さ１ｍｍである。
【００２０】
留置体の部位内深さ位置決め装置１０は、支持細線１２の収容具本体２２と、収納具本体２２に摺動可能に取り付けられて、支持細線が人体の皮膚表面から部位中に刺入りする深さを調整する調整手段２４とを備える。収納具本体並びに調整手段は、樹脂製もしくはステンレス鋼製で作られている。調整手段を調節して支持細線の刺入りする深さを予め調節しておくことにより、常に一定の深さに支持細線を刺入れ可能となり、よって留置体を部位内の所定の深さ位置に常に正確に留置することが可能となる。また、所定の角度をもって収納具本体を形成しておくことによりに、支持細線は、常に同じ角度をもって刺入りすることができる。ここで、調整手段２４は、収容具本体１８に摺動可能な摺動装置である。摺動装置は、収容具本体の外周をすべり摩擦をもって摺動する。
【００２１】
図４に示すように、支持細線の部位への刺入れ深さは、上述した以下の式で決められる。甲状腺の右葉部と左葉部に留置される支持細線は、右葉部と左葉部の頭側から尾側に向けて位置させることが好ましい。支持細線をこれら部位に刺入れする角度は、から３０〜６０°である。右葉部、左葉部、狭部に細線を斜刺する深さは、約２．８cmである。右葉部と左葉部に留置される支持細線は、右葉部と左葉部の頭側から尾側に向けて位置させることが好ましい。
【００２２】
先端に留置体を備える支持細線の長さ；ａ、収納具本体の長さ；ｂ、皮膚表面から摺動装置の移動距離；ｃとする。支持細線の刺入れ深さ；ｄは、ｄ＝ａ―（ｂ＋ｃ）となる。
ここで、支持細線の刺入れ深さ；ｄを２８ｍｍにしたい場合、支持細線１２の長さ；ａが６０ｍｍ、収納具本体２２の長さ；ｂが２０ｍｍであるとき、調整手段を調節して皮膚表面から摺動装置の移動距離；ｃを１２ｍｍに設定する。そして、支持細線を指で叩いて支持細線を収納具本体の上端まで２８ｍｍ移動させる。よって支持細線は、部位内に２８ｍｍ刺入れされることになる。
【００２３】
かくして、支持細線の刺入れ深さ；ｄは、支持細線の上端を指で叩いて、支持細線を収納具本体の上端の位置にもたらすことにより、支持細線は、部位内の深さ；ｄまで正確に、かつ容易に刺入れることができる。すなわち、支持細線の皮膚内への刺し入れ深さは、調整手段の皮膚表面から摺動装置の移動距離を調節することにより規定される。摺動装置の移動距離を１２ｍｍに調節して決めておくことにより、常に留置体を所定の深さに留置させることができる。
【００２４】
留置体１４と支持細線１２とは、嵌合手段２８を用いて嵌合して設けられていることが好ましい。
図５から図７は、留置体と支持細線とが嵌合する嵌合手段を示す概略図である。
図５は、留置体１４と支持細線１２の対向する面とが嵌合する嵌合手段２８である湾曲面３０を形成して嵌合している状態を示す概略図である。
図６は、留置体１４と支持細線１２の対向する面とが嵌合する嵌合手段２８である凹凸部３２を形成して嵌合している状態を示す概略図である。
図７は、留置体１４と支持細線１２の対向する面とが嵌合する嵌合手段２８である凹所３４を形成して嵌合している状態を示す概略図である。
図８は、留置体１４と支持細線１２の対向する面を接合面３６とし、接合面に接着剤３８が塗布されている状態を示す概略図である。接着剤は、にかわを使用している。
【００２５】
施術者が、留置装置の支持細線を指で叩いて、被施術者の治療部位に刺して皮膚内に通す。支持細線を調節手段により予め決められた距離を移動させることにより、支持細線は、調節手段の移動距離に相当距離分だけ皮膚内入り、先端の留置体を所定の部位内深さの位置に留置できる。
【産業上の利用可能性】
【００２６】
鍼治療、鍼による美容、鍼による動物治療
【符号の説明】
【００２７】
１０；留置体の部位内深さ位置決め装置
１２；支持細線
１４；留置体
１６；押出部材
１８；押圧装置
２０；ピストン
２２；収容具本体
２４；調整手段
２６；摺動装置
２８；嵌合手段
３０；湾曲面
３２；凹凸部
３４；凹所
３６；接合面
３８；接着剤
【図１】
2013017622.tif 000003
【図２】
2013017622.tif 000004
【図３】
2013017622.tif 000005
【図４】
2013017622.tif 000006
【図５】
2013017622.tif 000007
【図６】
2013017622.tif 000008
【図７】
2013017622.tif 000009
【図８】
2013017622.tif 000010